(57)【要約】  本発明の開示は、ＲＦＩＤ（無線自動識別）チップ１００を再閉鎖可能な包装体１０のジッパーのスライダー２４に埋め込むことに関する。この埋め込みによって、再閉鎖可能な包装体との関連を識別するためのＲＦＩＤ識別データを後に読み取ることができる。この読み取りは、ＲＦＩＤデータを直接用いるか、ＲＦＩＤデータをデータベースにアクセスするために用いることによって実施することができる。この読み取りは、認証、セキュリティー、品質管理、在庫管理およびこれに類似する目的のために実施することができる。
2009538797.tif 000002
【特許請求の範囲】
【請求項１】
互いに結合して、内部と、該内部に連通する開口とを形成する、向かい合う前方および後方パネルと、
前記開口を開閉するために構成されたジッパーであって、噛合する第１と第２の輪郭形成部材と、第１方向に移動するときに前記噛合する第１と第２の輪郭形成部材を分離して前記開口を開き、第２方向に移動するときに前記噛合する第１と第２の輪郭形成部材を結合して前記開口を閉じ、データ記憶装置を含むスライダーとを含むジッパーと、を具備する再閉鎖可能な包装体。
【請求項２】
前記データ記憶装置は、前記再閉鎖可能な包装体の製造日、前記再閉鎖可能な包装体の製造時間、前記再閉鎖可能な包装体の充填時間、前記再閉鎖可能な包装体の充填日、前記再閉鎖可能な包装体の内容物、前記再閉鎖可能な包装体の内容物の有効期限、前記再閉鎖可能な包装体のＳＫＵ番号、前記再閉鎖可能な包装体の内容物のＳＫＵ番号、前記再閉鎖可能な包装体の内容物の部品番号、前記再閉鎖可能な包装体の在庫管理番号、前記再閉鎖可能な包装体の内容物の在庫管理番号、前記再閉鎖可能な包装体の内容物のユニット数、再閉鎖可能な包装体の内容物の重量、前記再閉鎖可能な包装体の内容物の価格、前記再閉鎖可能な包装体の製造者、前記再閉鎖可能な包装体の内容物の製造者、前記再閉鎖可能な包装体の原産国または製造場所、および、前記再閉鎖可能な包装体の内容物の原産国または製造場所から構成されるグループから選択されたデータを含む請求項１に記載の再閉鎖可能な包装体。
【請求項３】
前記データ記憶装置は前記スライダーの外側に取り付けられる請求項１に記載の再閉鎖可能な包装体。
【請求項４】
前記データ記憶装置は前記スライダーに埋め込まれる請求項１に記載の再閉鎖可能な包装体。
【請求項５】
前記データ記憶装置は前記スライダーに鋳込まれる請求項４に記載の再閉鎖可能な包装体。
【請求項６】
前記データ記憶装置は内部電源を必要としない請求項１に記載の再閉鎖可能な包装体。
【請求項７】
互いに結合して、内部と、該内部に連通する開口とを形成する、向かい合う前方および後方パネルと、
前記開口を開閉するために構成されたジッパーであって、噛合する第１と第２の輪郭形成部材と、第１方向に移動するときに前記噛合する第１と第２の輪郭形成部材を分離して前記開口を開き、第２方向に移動するときに前記噛合する第１と第２の輪郭形成部材を連結して前記開口を閉じ、識別データを記憶するＲＦＩＤチップを含むスライダーとを含むジッパーとを具備する再閉鎖可能な包装体。
【請求項８】
前記識別データは、前記再閉鎖可能な包装体およびその内容物に関するデータにデータベースからアクセスするために用いられる請求項７に記載の再閉鎖可能な包装体。
【請求項９】
前記識別データは、前記再閉鎖可能な包装体またはその内容物に関するデータとして用いられる請求項７に記載の再閉鎖可能な包装体。
【請求項１０】
前記ＲＦＩＤチップは、前記再閉鎖可能な包装体の製造日、前記再閉鎖可能な包装体の製造時間、前記再閉鎖可能な包装体の充填時間、前記再閉鎖可能な包装体の充填日、前記再閉鎖可能な包装体の内容物、前記再閉鎖可能な包装体の内容物の有効期限、前記再閉鎖可能な包装体のＳＫＵ番号、前記再閉鎖可能な包装体の内容物のＳＫＵ番号、前記再閉鎖可能な包装体の内容物の部品番号、前記再閉鎖可能な包装体の在庫管理番号、前記再閉鎖可能な包装体の内容物の在庫管理番号、前記再閉鎖可能な包装体の内容物のユニット数、再閉鎖可能な包装体の内容物の重量、前記再閉鎖可能な包装体の内容物の価格、前記再閉鎖可能な包装体の製造者、前記再閉鎖可能な包装体の内容物の製造者、前記再閉鎖可能な包装体の原産国または製造場所、および、前記再閉鎖可能な包装体の内容物の原産国または製造場所から構成されるグループから選択されたデータを含む識別データを記憶する請求項９に記載の再閉鎖可能な包装体。
【請求項１１】
前記ＲＦＩＤチップは前記スライダーの外側に取り付けられる請求項７に記載の再閉鎖可能な包装体。
【請求項１２】
前記ＲＦＩＤチップは前記スライダーに埋め込まれる請求項７に記載の再閉鎖可能な包装体。
【請求項１３】
前記ＲＦＩＤチップは前記スライダーに鋳込まれる請求項１２に記載の再閉鎖可能な包装体。
【請求項１４】
前記ＲＦＩＤチップは受動ＲＦＩＤチップである請求項７に記載の再閉鎖可能な包装体。
【請求項１５】
互いに結合して、内部と、該内部に連通する開口とを形成する、向かい合う前方および後方パネルと、
前記開口を開閉するために構成されたジッパーであって、噛合する第１と第２の輪郭形成部材と、第１方向に移動するときに前記噛合する第１と第２の輪郭形成部材を分離して前記開口を開き、第２方向に移動するときに前記噛合する第１と第２の輪郭形成部材を連結して前記開口を閉じ、データ記憶手段を含むスライダーとを含むジッパーとを具備する再閉鎖可能な包装体。
【請求項１６】
前記データ記憶手段は、前記再閉鎖可能な包装体の製造日、前記再閉鎖可能な包装体の製造時間、前記再閉鎖可能な包装体の充填時間、前記再閉鎖可能な包装体の充填日、前記再閉鎖可能な包装体の内容物、前記再閉鎖可能な包装体の内容物の有効期限、前記再閉鎖可能な包装体のＳＫＵ番号、前記再閉鎖可能な包装体の内容物のＳＫＵ番号、前記再閉鎖可能な包装体の内容物の部品番号、前記再閉鎖可能な包装体の在庫管理番号、前記再閉鎖可能な包装体の内容物の在庫管理番号、前記再閉鎖可能な包装体の内容物のユニット数、再閉鎖可能な包装体の内容物の重量、前記再閉鎖可能な包装体の内容物の価格、前記再閉鎖可能な包装体の製造者、前記再閉鎖可能な包装体の内容物の製造者、前記再閉鎖可能な包装体の原産国または製造場所、および、前記再閉鎖可能な包装体の内容物の原産国または製造場所から構成されるグループから選択されたデータを含む請求項１５に記載の再閉鎖可能な包装体。
【請求項１７】
前記データ記憶手段は前記スライダーの外側に取り付けられる請求項１５に記載の再閉鎖可能な包装体。
【請求項１８】
前記データ記憶手段は前記スライダーに埋め込まれる請求項１５に記載の再閉鎖可能な包装体。
【請求項１９】
前記データ記憶手段は前記スライダーに鋳込まれる請求項１８に記載の再閉鎖可能な包装体。
【請求項２０】
前記データ記憶手段は内部電源を必要としない請求項１５に記載の再閉鎖可能な包装体。
【発明の詳細な説明】
【技術分野】
【０００１】
本発明は、再閉鎖可能な包装体の製造におけるＲＦＩＤ（無線自動識別）とそれに類似する方法に関する。特に、本発明は、セキュリティー、認証および在庫追跡を含むがこれらに限定されるものではない種々の目的のために、ＲＦＩＤチップを再閉鎖可能な包装体のスライダーへ埋め込むことに関する。
【背景技術】
【０００２】
ＲＦＩＤタグの背景技術は、十分に開発されている。特に、このような技術によって、日立製μチップにみられるように、ＲＦＩＤタグの小型化が進んでいる。
【０００３】
ＲＦＩＤタグは、識別コードによって変調される磁界または電界を励起時に発生させる。ＲＦＩＤタグが小型化するほど、タグにバッテリーまたはその他の電源の設置を不要とするために、受動部品技術が用いられる。このような受動ＲＦＩＤタグは、リーダーがＲＦＩＤタグを感知するために、外部で励起する必要がある。
【０００４】
チェン(Chen)に対して２００６年２月２６日に発行され「無線自動識別装置」と題する米国特許第７００５９６５号明細書、ケラー(Koehler)に対して２００３年７月８日に発行され「無線自動識別を用いるシートおよびウェブ送り印刷機のための工具追跡システム」と題する米国特許第６５９１２２７号明細書、ベガ(Vega)に対して２００１年７月２４日に発行され「無線タグ装置およびそれに関する方法」と題する米国特許第６２６５９７７号明細書、および、ガーバー(Garber)に対して２００１年５月１５日に発行され「無線自動識別装置の応用」と題する米国特許第６２３２８７０号明細書には、ＲＦＩＤ技術を用いるさまざまな製造への応用またはそれに類似する追跡への応用が開示され、これらの明細書の全内容は、その番号をここに記載することによって本願明細書に組み入れるものである。
【先行技術文献】
【特許文献】
【０００５】
【特許文献１】米国特許第７００５９６５号明細書
【特許文献２】米国特許第６５９１２２７号明細書
【特許文献３】米国特許第６２６５９７７号明細書
【特許文献４】米国特許第６２３２８７０号明細書
【発明の概要】
【発明が解決しようとする課題】
【０００６】
しかし、再閉鎖可能な包装体の分野におけるＲＦＩＤタグの使用、特に、これらに限定されるものではないが、セキュリティー、認証および在庫追跡に対しては、一層の発展が求められている。
【０００７】
このため、本発明の目的は、ＲＦＩＤを用いて、再閉鎖可能な包装体に関係する製造工程、セキュリティー、認証および在庫追跡を向上させることである。
【課題を解決するための手段】
【０００８】
この目的および他の目的は、再閉鎖可能な包装体用スライダーを、このスライダーに埋め込まれるか、鋳込まれるか、取り付けられるＲＦＩＤチップとともに設けることによって達成される。識別データは、ＲＦＩＤチップの製造時、再閉鎖可能な包装体の製造時、あるいは包装体１０の充填中か充填後にＲＦＩＤチップにダウンロードすることができる。ＲＦＩＤチップの識別データは、再閉鎖可能な包装体およびその内容物に関する種々のデータを含むことによって直接用いることができる。これとは別に、データベースが、ＲＦＩＤ識別データを再閉鎖可能な包装体の内容物および他の特徴に関連付けるように編集される。その後、ＲＦＩＤチップは、データを直接用いるか、あるいはデータベースにアクセスして再閉鎖可能な包装体に関するデータを入手するために、異なる時間および離れた場所で読み取られる。
【図面の簡単な説明】
【０００９】
【図１】スライダージッパーを含む本発明の再閉鎖可能な包装体の部分的に透視した正面図であり、ＲＦＩＤタグがスライダーに挿入され、さらに、別の実施例におけるＲＦＩＤタグの配置を示す図である。
【図２】図１の再閉鎖可能な包装体のスライダーにおいてＲＦＩＤタグに問い合わせるリーダーの斜視図である。
【発明を実施するための形態】
【００１０】
本発明の目的および利点は、下記の説明および添付図面からさらに明らかになる。
ここで図面を詳細に参照すると、いくつかの図面を通して類似する参照番号は類似する構成要素を示し、図１は本発明の再閉鎖可能な包装体１０の平面図を示す。再閉鎖可能な包装体１０は、ポリマー材料から成る後方ウェブパネル１４とともに延びるポリマー材料から成る前方ウェブパネル１２を含み、これらのパネルは、開口２１を形成するように、側部シール部１６、１８と底部シール部２０でともにシールされる。ジッパー２２は開口２１を再閉鎖可能にする。当業者には公知であるように、ジッパー２２は噛合する第１と第２の輪郭形成部材２３、２５を有することができる。さらに、先行技術では知られているように、スライダー２４は、第１方向に移動するときに輪郭形成部材２３、２５が分離することによってジッパー２２を開き、第２方向に移動するときに輪郭形成部材２３、２５が連結することによってジッパー２２を閉じる。
【００１１】
シール部１６、１８の何れか一方またはシール部２０は、いくつかの実施例にみられる折り目に置き換えてもよい。実際には、本発明は、スライダージッパーを有する再閉鎖可能な包装体の多くの実施例で使用することができると思われる。
【００１２】
スライダー２４は、その外側に埋め込むか、鋳込むか、取り付けることができるＲＦＩＤチップ１００（または類似する「スマート」技術）を含む。また、いくつかの実施例では、ＲＦＩＤチップ１００は、包装体１０の輪郭形成部材２３、２５またはウェブパネル１２、１４などの別の部品に取り付けることができる。内部電源を不要にするために、ＲＦＩＤチップ１００は一般に、受動ＲＦＩＤチップである。この用途に最適なＲＦＩＤチップとして一般的なものは、日立製μチップである。ＲＦＩＤチップ１００は、接着性ポリマーを用いる押し出し工程後にライン上で部品を「ピックアンドプレース」することによって組み込むことができる。同じように、ＲＦＩＤチップ１００は、埋め込むか、さもなければ取り付けるか、鋳込むことができ、あるいはスライダー留め具に接着剤で取り付けるか、射出成形中にこの留め具に鋳込むことができる。
【００１３】
ＲＦＩＤチップ１００′は、ＲＦＩＤチップの別の位置を図示する。この位置でこのＲＦＩＤチップは、ＲＦＩＤチップ１００の位置で図示されるようにスライダー２４に取り付けられる代わりに、再閉鎖可能な包装体１０の輪郭形成部材またはウェブに取り付けられる。
【００１４】
識別データは、ＲＦＩＤチップ１００の製造時、再閉鎖可能な包装体１０の製造時、あるいは包装体１０の充填中か充填後にＲＦＩＤチップ１００にダウンロードすることができる。
【００１５】
この識別データは、製造番号に類似するものであってもよく、この製造番号は後にデータベース内で所望のデータと関連付けられる。これとは別に、この識別データは、所望のデータを直接含んでもよい。この所望のデータは、再閉鎖可能な包装体またはその内容物に特化した製造データ（例えば、ＳＫＵ番号、部品番号、在庫管理番号、ユニット数、重量、価格、製造者、原産国、製造日時、製造場所、また、これに限定されるわけではないが、食材の有効期限などの内容物に関係すると思われるあらゆるデータ）を含む。
【００１６】
ＲＦＩＤチップ１００は、ＲＦＩＤチップ１００の識別データを特定の再閉鎖可能な包装体１０に関連付けることができる。また、この関連付けは、厳密なものである必要はなく、再閉鎖可能な包装体１０の任意のロットに対する関連付けであってもよい（すなわち、複数の包装体１０が同一のデータを含むＲＦＩＤチップ１００を有してもよい）。
【００１７】
図２に示すように、リーダー２００は、ＲＦＩＤチップ１００から識別データを読み取り、このデータをコンピュータシステム３００に送る。この読み取りは、ＲＦＩＤ識別データを（データの形式を解釈するために用いられるコンピュータシステム３００に）直接用いるか、コンピュータシステム３００のポート（または記憶装置）３０１を介して入力としてデータベースにアクセスするために用いることができるように、元来の製造時とは異なる時間と場所で実施される。
【００１８】
これによって特定の再閉鎖可能な包装体１０を追跡することが可能になり、ひいては、製造工程の向上（即ち、欠陥のある再閉鎖可能な包装体を直ちに追跡し、製造時間と場所を特定することができる）、認証の向上（即ち、再閉鎖可能な包装体の予定内容物を確認することができる）、セキュリティーの向上（即ち、本発明によって製品の偽造がさらに困難になる）および在庫追跡の向上（即ち、リーダーが再閉鎖可能な包装体のＲＦＩＤチップを任意の場所で読み取り、ＲＦＩＤチップからのデータに基づいて在庫リストを受け取ることができる）が可能になる。
【００１９】
応用例としては、更に、（在庫管理に関係する）盗難の防止、許容保管条件を追跡するための感温材料の使用、広告販促、指導および不正開封防止のための音声チップの使用がある。また、音声チップは、レシピなどの製品内容物に関する情報を含んでもよい。
【００２０】
このように、上記目的および利点は、最も効果的に達成される。本発明の好ましい実施例を本明細書において詳細に開示し、説明してきたが、本発明はこのような実施例によって限定されるものではなく、その範囲は添付請求の範囲によって決定される。
【符号の説明】
【００２１】
１０    包装体
１２    前方ウェブパネル
１４    後方ウェブパネル
１６    側部シール部
１８    側部シール部
２０    底部シール部
２１    開口
２２    ジッパー
２３    第１輪郭形成部材
２４    スライダー
２５    第２輪郭形成部材
１００    ＲＦＩＤチップ
【図１】
2009538797.tif 000003
【図２】
2009538797.tif 000004
【国際調査報告】
2009538797.tif 000005
2009538797.tif 000006